(57)【特許請求の範囲】
【請求項１】
収納空間を設けた収納部と、収納部の一部を移動可能に支持する支持機構と、前記支持機構を隠蔽した閉止状態及び前記支持機構を外方へ開放した非閉止状態をとり得る支持機構収容部とを具備するものであって、
前記支持機構収容部が、前記収納部に選択的に着脱して前記閉止状態と非閉止状態とを切り替え得る着脱部材を具備し、
前記収納部が、収納空間を外部へ開放し得る開口部を形成した収納部本体と、該開口部を開閉可能な扉部とを具備し、前記支持機構が収納部本体の外向面に設けられ扉部を開閉可能に支持するものであって、前記着脱部材と収納部本体の外向面とによって支持機構収容部を形成していることを特徴とする収納家具。
【請求項２】
前記支持機構収容部の反使用端側に前記収納部本体を家具本体に取り付け得る取付部材を収容する取付部材収容部を形成し、反使用端側に取付部材収容部を開放し取付部材の一部を通過させる後開口溝と、使用端側に支持機構収容部を開放し支持機構の一部を通過させる前開口溝とを形成していることを特徴とする請求項１記載の収納家具。
【請求項３】
前記支持機構収容部と前記取付部材収容部との間において、前記前開口溝と前記後開口溝との正面視重合する位置に、これら前記支持機構収容部と前記取付部材収容部とを区画する突条を設けていることを特徴とする請求項２記載の収納家具。
【請求項４】
前記突条が前記収納部本体の外向面に起立させて設けたリブであることを特徴とする請求項３記載の収納家具。
【請求項５】
前記リブの先端を、前記着脱部材の内向面に当接させていることを特徴とする請求項４記載の収納家具。
【請求項６】
前記閉止状態において、前記収容部本体の天板面と前記着脱部材の上向面とが面一になることを特徴とする請求項２、３、４又は５記載の収納家具。
【発明の詳細な説明】
【０００１】
【発明の属する技術分野】
本発明は、オフィスや家庭などで好適に使用される収納家具等に適用される物品を収納可能な収納家具に関するものである。
【０００２】
【従来の技術】
近年、オフィス内では、オフィススペースを有効に活用するため、ブラケットを介してパーティションなどの高いところにキャビネットを取り付け、これに書籍やファイル、荷物等の物品を収納して利用している。このタイプのキャビネットは、物品を収納する収納空間を外部へ開放し得る開口部を形成した収納部本体と、該開口部に開閉可能な扉を設けてなるものであって、さらにこの扉は、収納部本体の内向面に設けられる支持機構によって、開閉可能に支持されている。また、支持機構が収容する物品と干渉しないように、収納部本体の内側からこの支持機構を覆い得るカバーが設けられている。
【０００３】
このように構成されるキャビネットは、物品の出し入れを行うときにはこの扉を開放し、一方、物品の出し入れを行わないときには収納している物品が落下しないようにこの扉を閉じて使用する。
【０００４】
そして、扉の開閉などに不具合があった場合には、収納部本体の内側に設けられているカバーを取り外して支持機構を露出させ、しかるのち、この支持機構を調整したり交換したりできるように設計されている。
【０００５】
【発明が解決しようとする課題】
しかしながら、以上のような構成では、例えばキャビネット内部に物品を収納しているときには、支持機構を露出させるために、一旦、収納している物品を前記カバーの取り外の妨げとならない位置に移動し、その後にそのカバーを外し、しかるのち支持機構を露出するという手間がいった。すなわち、収納する物品が支持機構の動作確認の妨げとなり、支持機構を露出させて調整することが困難であったり、また、キャビネット内部に物品を収納していないときにでも、これらの作業を扉を開けながら行う必要があるため、支持機構や収納部本体の修理や交換に非常に手間がかかったりするという問題があった。
【０００６】
そこで本発明は、上述のようなキャビネットに限らず、物品を収納する家具一般について、上述した課題を解決することを主たる目的とするものである。
【０００７】
【課題を解決するための手段】
すなわち、本発明に係る収納家具は、収納空間を設けた収納部と、収納部の一部を移動可能に支持する支持機構と、前記支持機構を隠蔽した閉止状態及び前記支持機構を外方へ開放した非閉止状態をとり得る支持機構収容部とを具備することを前提とする。
【０００８】
このような前提のものであれば、閉止状態では見栄えよく支持機構を隠しておき、かつ非閉止状態では外方に支持機構を簡単に露出することができるため、支持機構の調整や交換が非常に行いやすくなるといった利点がある。
【０００９】
また、簡単に支持機構を外部に露出させるために本発明は、収納部に選択的に着脱して前記閉止状態と非閉止状態とを切り替え得る着脱部材を具備することを前提としている。
【００１０】
そして本発明は、収納部が、収納空間を外部へ開放し得る開口部を形成した収納部本体と、該開口部を開閉可能な扉部とを具備し、支持機構が収納部本体の外向面に設けられ扉部を開閉可能に支持するものであって、着脱部材と収納部本体の外向面とによって支持機構収容部を形成することを特徴としている。
【００１１】
収納部の収納容量を大きく確保するためには、支持機構収容部の反使用端側に前記収納部本体を家具本体に取り付け得る取付部材を収容する取付部材収容部を形成し、反使用端側に取付部材収容部を開放し取付部材の一部を通過させる後開口溝と、使用端側に支持機構収容部を開放し支持機構の一部を通過させる前開口溝とを形成することが好ましい。
【００１２】
取付部からの光漏れを防止するためには、前記支持機構収容部と前記取付部材収容部との間において、前記前開口溝と前記後開口溝との正面視重合する位置に、これら前記支持機構収容部と前記取付部材収容部とを区画する突条を設ければよい。
【００１３】
この具体的実施態様としては、突条が前記収納部本体の外向面に起立させて設けたリブが挙げられる。また、この効果を向上させるためには、前記リブの先端を、前記着脱部材の内向面に当接させればよい。
【００１４】
一方、外観を向上させるためには、閉止状態において、前記収容部本体の天板面と前記着脱部材の上向面とが面一とすることが望ましい。
【００１５】
【発明の実施の形態】
以下、本発明の一実施形態について図面を参照して説明する。
【００１６】
本実施形態に係る収納家具Ａは、例えば、図１に示すように、家具本体Kに設けられるスリットＫＳに取付部材たるブラケットBを介して取り付け、収納部Ａ１に書籍やファイル、荷物等の物品を収納して利用するようにしたものであり、パネルの前面に取り付けることで、比較的高い位置で好適に使用される。
【００１７】
そして、この収納部Ａ１は、図１、図２に示すように、前面側に開口を有する箱体状の収納部本体１と、この開口部を開閉可能な扉部２と、この収納部本体１の起立する左右の外向面に前記扉部２を閉止位置Ｐ１と開成位置Ｐ２とを取り得るように上下動可能に支持する支持機構３と、この支持機構３を外方へ開放し得る支持機構収容部４とを具備するものである。
【００１８】
以下、各部について具体的に説明する。
【００１９】
収納部本体１は、収納する物品を載せ得る底板５と、この底板５の両側縁から起立した長方形状をなしその上部及び反使用端側の所定位置にねじNを挿通する挿通孔６０を具備する内側板６と、両側縁から一体に折り曲げ形成し略板厚分を低くしたつば部７１を有する天板７と背板１２等を具備するものであって、これら各部で囲まれる空間を物品を収納する収納空間１０としている。そして、この底板５と内側板６と天板７の使用端側を開口させて収納する物品を出し入れし得る開口部１１を形成している。また、内側板６は、その内向面６１に、前記挿通孔６０にねじNを通して固定した後このねじ頭NHを外観視不能に蓋をするねじカバー６２を具備している。
【００２０】
扉部２は、中央部が使用端側に膨らむように形成された断面視円弧状の前扉２１等を具備し、この前扉２１の両側縁の下部に支持機構３を取り付け得るように構成されている。
【００２１】
支持機構３は、図２に示すように、回転動作を行うことによって前記扉部２を収納部本体１に対して上下動可能に支持する支持アーム３１と、前記扉部２を上下動させる際に前記支持アーム３１に重力に抗した力を付与するガススプリング３２とを具備するものである。
【００２２】
支持機構収容部４は、前記内側板６と、前記内側板６に着脱可能な着脱部材たる外側板８とを具備し、この内側板６の外向面６２と外側板８の内向面８１とで構成される空間に支持機構３を収納するように構成されるものである。
【００２３】
内側板６の具体的構成は、その外向面６２の上部に、図２に示すように、板金を折り曲げてなる断面視コ字状で反使用端側から使用端側に延びる上部ねじ止め部材６３と、その外向面６２の下部に板金を折り曲げてなる断面視コ字状で反使用端側から所定位置まで延びる下部ねじ止め部材６４とを設けている。そして、外向面６２から起立しその上端縁を前記上部ねじ止め部材６３に当接し後向面６５２の下部を前記下部ねじ止め部材６４に当接するリブ６５を設けている。また、このリブ６５の使用端側に沿って設けられる断面視コ字上の補強要素３０を具備し、さらに、使用端側の下部に設けてなる前記支持アーム３１の閉止位置Ｐ１の位置決めを行うストッパSと、外向面６２の下端縁から外向きに延びる収容部上向面４０の外側端縁から垂下する断面視L字状の下部取付部６９とを具備している。
【００２４】
そして、前記上部ねじ止め部材６３は、反使用端側に設けられるブラケットＢを取り付けるためのねじを挿通する上部ブラケット取付孔６６ａと、外側板８を取り付けるためのねじを挿通する上部ねじ挿通孔６６ｃとを前記挿通孔６０と対応した位置に形成している。下部ねじ止め部材６４には、この上部ブラケット取付孔６６ａから垂下した位置に設けられるブラケットＢを取り付けるための下部ブラケット取付孔６６ｂを形成している。また、補強要素３０は、前記上部ねじ止め部材６３の近傍に設けられる前記支持アーム３１の回転中心たる基端部を支持する回転中心支持部６７と、この回転中心支持部６７から垂下した前記補強要素３０の所定位置に設けた前記ガススプリング３２の基端部を支持するガススプリング支持部６８とを具備している。
【００２５】
外側板８は、その内向面８１に、図３に示すように、使用端側の一辺のみ部分円弧状の形状をなす略長方形状に形成される薄板の外側板本体８０と、この外側板本体の内向面８１の上部と中央部と下部との３箇所に、板金を折り曲げてなる断面視コ字状で使用端側から反使用端側に延びる上部補強部材８２と中央部補強部材８３と下部補強部材８４とを具備するものである。
【００２６】
より具体的には、この外側板本体８０は、その上部の反使用端側から使用端側近傍まで延びる位置に、上端縁から収納部本体１に向かって折り曲げて延びる上部引掛け部８５を形成している。また、その下部の反使用端側から使用端側近傍まで延びる位置に、下端縁から収納部本体１に向かって延びる水平要素８６１と、この水平部の収納部本体１側の端縁から起立する起立要素８６２とを具備する断面視L字状に折り曲げて形成される下部引掛け部８６を具備している。
【００２７】
また上部補強部材８２は、断面視コ字状の補強部８２１と、この補強部８２１の上向面の外側板本体８０側端縁から起立する上起立部８２２と、補強部の下向面の外側板本体８０側端縁から起立する下起立部８２３とを具備するものである。さらにこの補強部８２１は、使用端側と反使用端側の所定位置にその起立面からその内部に向かって設けられるねじ止め用のねじ要素８２４を設けている。なお、前記補強部８２１は、その上起立部８２２の外向面及び下起立部８２３の外向面を、前記外側板本体８０の内向面８１に当接させ溶接等によって前記外側板本体８０に取り付けられており、また、中央部補強部材８３と下部補強部材８４とも前記ねじ要素８２４以外を同様の構成としながら前記外側板本体８０に取り付けられている。
【００２８】
このように構成される外側板８は、次のようにして内側板６に取り付けられる。
【００２９】
まず、図４に示すように、外側板８を取り外した状態たる非閉止状態Ｑ２において、外側板８を水平に寝かせるようにしながら、外側板８の下部引掛け部８６に内側板６の下部取付部６９を挿入し、挿入した時点でこの外側板８が起立するように回動する。このようにすれば、外側板８の水平要素８６１が下部取付部６９の水平要素６９１に沿うように当接するとともに、この外側板８の起立要素８６２と外側板本体８０とが、内側板６の下部取付部６９の前記水平要素６９１及び起立要素６９２とを挟み込むため、図５に示すように外側板８の下部を内側板の下部にしっかりと取り付けることができる。
【００３０】
そして、その上部において、図５に示すように、天板７のつば部７１に外側板８の上部引掛け部８５を外方かつ上方から嵌合するように取り付けることで、この外側板８の上向面８ａと天板７の上向面７ａとが面一になる。さらに、内側板６の挿通孔６０に挿入したねじＮと、外側板８のねじ要素８２４とでねじ止めすることで、内側板６に外側板８を固定することができる。そして、ねじカバー６２で挿通孔６０の蓋をすると、ねじＮのねじ頭ＮＨが外観視不能となり、また、ねじ頭ＮＨが収納される物品に干渉する恐れもなくなる。
【００３１】
このようにして内側板６に取り付けられる左右の外側板８の前端部における膨出部分に対応する内向面側には、図２に示すように、その膨出部分と同様に前縁を湾曲させた樹脂製の複数のパーツからなる保護部材Ｃをそれぞれ配置するようにしている。このように外側板８の使用端側に設けられる保護部材Ｃは、底板５、内側板６、天板７及び外側板８の前縁部を保護するべく設けたものである。この保護部材Ｃは、外側板８の内向面８１に取り付けられる外側保護部材Ｃ１と、この外側保護部材Ｃ１の上端部Ｃ１１及び下端部Ｃ１２に当接する内側保護部材Ｃ２とから主としてなるものである。そして、これらの当接部分を内側からねじ（図示せず）止めすることによって、外側保護部材Ｃ１と内側保護部材Ｃ２とを前記外側板８に固定するようにしている。その結果、この外側保護部材Ｃ１と内側保護部材Ｃ２との間に、上下方向に延びて開口する前開口溝ＭＡを形成している。なお、外側保護部材Ｃ１の前端部と内側保護部材Ｃ２の前端部とは、前記外側板８の前端部における膨出部分と側面視形状が同一になるよう、前記外側板８の膨出部分と同様に部分円弧状に形成している。
【００３２】
また、反使用端側では、図６に示すように、反使用端側の外側板８の外側端部と背板１２の外側端部とによってスリット状に開口される後開口溝ＭＢとが形成される。すなわち、閉止状態Ｑ１となって、この前開口溝ＭＡと前記リブ６５とが前記支持機構３を収容する支持機構収容部４を形成し、また前記後開口溝ＭＢと前記リブ６５とが、ブラケットＢを収容する取付部材収容部たるブラケット収容部９を形成している。このようにして前記支持機構収容部４は、前開口溝ＭＡを通じて前方へ開放され、前記ブラケット収容部９は後開口溝ＭＢを通じて後方へ開放されている。
【００３３】
そして、この支持機構収容部４は、前記前開口溝ＭＡと、前記上部補強部材８２と、前記リブ６５と、収容部上向面４０と、内側板６の外向面と、外側板８の内向面とで包囲される。そしてこの支持機構収容部４の内部において、先端に扉部２が取り付けられた支持アーム３１がこの前開口溝ＭＡを通過して、この支持機構収容部４に設けられている前記回転中心支持部に支持されている。そして、この扉部２を閉止位置Ｐ１と開成位置Ｐ２との位置に移動させると、該支持アーム３１も連動して、この前開口溝ＭＡを上下動しながら移動する。
【００３４】
このとき、後開口溝ＭＢよりブラケット収容部９に進入した光は、前記リブ６５で遮られるため、支持アーム３１が前開口溝ＭＡを上下動してもこの光は、前開口溝ＭＡに到達することはない。
【００３５】
一方、ブラケット収容部９は、前記リブ６５と、前記上部補強部材８２と、前記後開口溝ＭＢと、収容部上向面４０と、内側板６の外向面６２と、外側板８の内向面８１とで包囲される。そしてこのブラケット収容部９の内部において、先端部を家具本体に取り付けられたブラケットＢがこの後開口溝ＭＢを通過して、この支持機構収容部４に設けられているブラケット取付部６６に支持される。
【００３６】
以上のように構成される収納家具Ａは、次のようにして使用される。
【００３７】
家具本体Ｋに取り付けられている収納家具Ａの扉部２に開閉などの不都合が生じたとき、まず、収納部本体のねじカバー６２を開けてねじＮを外す。そして、ねじＮが外れると、外側板８の上部が収納部本体１から離れ、さらに外側板８の下部を外せば、外側板８を収納部本体１から取り外すことができ、外側板８と内側板６の間に収納されていた支持機構３を外部に露出することができる。
【００３８】
このように露出させた支持機構３では、その動作確認も容易に行うことができ、また、支持機構３に交換の必要があった場合でも、支持機構３を支持している回転中心支持部６７とガススプリング支持部６８とを支持しているねじＮを外せば、収納部本体１を家具本体に取り付けたままの状態で扉部２を収納部本体１から取り外すことができることとなる。
【００３９】
すなわち、このような収納家具Ａであれば、例えば、扉部２の開閉などに不具合があった場合でも、収納部Ａ１に収納されている物品を取り出す必要もなく、また、家具本体Kから収納部Ａ１を取り外すことなく、これら部材の点検や調整、交換が可能となるもので、取り扱いの利便性が向上する。また、通常の使用状態では、支持機構収容部４で支持機構３を隠蔽しているため外観もよく、さらに、この支持機構３が収容する物品と干渉するなどの問題も起こらない。
【００４０】
また、支持機構収容部４とブラケット収容部９とが、内側板６と外側板８とで構成される空間をリブ６５で仕切って実現できるため、支持機構３及びブラケットＢが収容部本体１に干渉することとならないため、収容部本体１の収容部の収納容量を大きく取ることができる。
【００４１】
さらに、後開口溝ＭＢよりブラケット収容部９に進入した光は、リブ６５のリブ先端縁６５ａを外側板８の内向面８１に当接させて遮っているため、支持アーム３１が前開口溝ＭＡを上下動してもこの光は、前開口溝ＭＡに到達することはなく、優れた遮光効果を得ることができる。
【００４２】
また、収納部本体１の上向面７ａと外側板８の上向面８ａとを面一にすることができるため、外観上もすぐれた収納家具Ａを提供できる。
【００４３】
なお、本発明は、以上に詳述した実施形態に限られるものではない。
【００４４】
例えば、本実施形態では、外側板８等を板金を折り曲げて形成するものとしたが、これに限らず、樹脂成形により形成される成形物とするなど、素材で形成しても構わない。
【００４５】
また、収納家具Ａを、家具本体Kに設けられるスリットＫＳに取付部材たるブラケットBを介して取り付けるようにしたが、これに限らず、壁や天井を利用して取り付けるなど、様々な取り付け方法が考えられる。
【００４６】
また、収納部Ａが、その開口部に上下動可能に支持機構によって開閉する扉部２を具備するものとしたが、これに限らず、所定方向に進退をする支持機構を用いるなど任意の支持機構で構成しても構わない。また、扉部も実施態様に応じて適宜構成しても構わない。
【００４７】
その他本発明は以上に詳述した図示例に限られず、種々の変形が可能である。
【００４８】
【発明の効果】
以上に詳述したように本発明によれば、外方に支持機構を簡単に露出することができるため、例えば、扉の開閉などに不具合があった場合でも、収納部に収納されている物品を取り出す必要もなく、また、家具本体から収納部を取り外すことなく、これら部材の点検や調整、交換が非常に行いやすい収納家具を実現できる。また、通常の使用状態では、支持機構収容部で支持機構を隠蔽しているため外観もよく、さらに、この支持機構が収容する物品と干渉するなどの問題も起こらないといった好適に使用できる収納家具を実現できる。
【図面の簡単な説明】
【図１】本発明の実施形態における収納家具全体の斜視図。
【図２】同実施形態における支持機構を内側板に取り付けた状態を示す斜視図。
【図３】同実施形態における内側板と外側板の取付構造を示す部分分解斜視図。
【図４】同実施形態における内側板と外側板との下端部側の取付構造を示す部分分解斜視図。
【図５】同実施形態における内側板と外側板の取り付け構造を示す取付構造断面図。
【図６】同実施形態におけるブラケットを収納部本体に取り付けた状態を示す斜視図。
【符号の説明】
Ａ・・・収納家具
Ａ１・・・収納部
Ｂ・・・ブラケット（取付部材）
ＭＡ・・・前開口溝
ＭＢ・・・後開口溝
Ｑ１・・・閉止状態
Ｑ２・・・非閉止状態
１・・・収納部本体
１０・・・収納空間
１１・・・開口部
２・・・扉部
３・・・支持機構
４・・・支持機構収容部
６・・・内側板
６２・・・外向面
６５・・・リブ（突条）
６５ａ・・・リブ先端縁
８・・・外側板（着脱部材）
９・・・ブラケット収容部（取付部材収容部）
【図１】
0004215983.tif 000002
【図２】
0004215983.tif 000003
【図３】
0004215983.tif 000004
【図４】
0004215983.tif 000005
【図５】
0004215983.tif 000006
【図６】
0004215983.tif 000007